(57)【特許請求の範囲】
【請求項１】
通信によりセンタからコンテンツ情報を取得する車載装置であって、
前記車載装置を搭載した車両の現在位置情報を取得する現在位置情報取得手段と、
前記車載装置を使用するユーザの生活圏情報を設定する生活圏情報設定手段と、
前記生活圏情報設定手段により設定された生活圏情報に基づいて、特定の地域を示す特定地域情報を設定する地域情報設定手段と、
前記現在位置情報取得手段により取得された前記現在位置情報及び前記地域情報設定手段によって設定された前記特定地域情報をセンタに送信する送信手段と、
前記送信手段によって送信された前記現在位置情報と前記特定地域情報とが比較され、比較結果が一致したか否かに応じて提示方法が設定されたコンテンツ情報をセンタから受信する受信手段と、
前記受信手段により受信された前記コンテンツ情報を表示する表示手段と、
を有し、
前記受信手段が受信するコンテンツ情報の提示方法は、前記比較結果が一致した場合に、前記現在位置情報に応じた更新頻度が高い情報である季節情報を提示し、前記比較結果が一致しない場合に、前記現在位置情報に応じた観光情報を提示するように設定されていることを特徴とする車載装置。
【請求項２】
前記地域情報設定手段は、前記現在位置情報取得手段により定期的に取得された現在位置情報に基づいて生活圏内か否かを判断する、ことを特徴とする請求項１に記載の車載装置。
【請求項３】
前記車載装置を搭載した車両に同乗者が存在するか否かを判断する同乗者判断手段を更に有し、
前記送信手段は、前記同乗者判断手段により判断された同乗者有無情報を送信し、
前記受信手段は、前記同乗者有無情報に基づいて提示方法がさらに変更された前記コンテンツ情報を受信する、ことを特徴とする請求項１又は２に記載の車載装置。
【請求項４】
前記受信手段は、前記送信手段によって送信された前記現在位置情報と前記特定地域情報とが比較され、比較結果が一致したか否かに応じて並び替えられた前記コンテンツ情報を受信する、ことを特徴とする請求項１〜３の何れか一項に記載の車載装置。
【請求項５】
通信によりコンテンツ情報を車載装置に配信する情報配信システムであって、
前記車載装置は、
前記車載装置を搭載した車両の現在位置情報を取得する現在位置情報取得手段と、
前記車載装置を使用するユーザの生活圏情報を設定する生活圏情報設定手段と、
前記生活圏情報設定手段により設定された生活圏情報に基づいて、特定の地域を示す特定地域情報を設定する地域情報設定手段と、
前記現在位置情報取得手段により取得された前記現在位置情報及び前記地域情報設定手段によって設定された前記特定地域情報をセンタに送信する送信手段と、
前記センタから配信される前記コンテンツ情報を受信する受信手段と、を有し、
前記センタは、
前記車載装置から前記現在位置情報及び前記特定地域情報を受信するセンタ受信手段と、
前記センタ受信手段により受信された前記現在位置情報及び前記特定地域情報を比較する比較手段と、
前記比較手段により比較された比較結果に基づいて、前記車載装置に配信するコンテンツ情報の提示方法を設定する提示方法変更手段と、
前記提示方法変更手段によって設定された提示方法で前記コンテンツ情報を前記車載装置に配信する配信手段と、を有し、
前記受信手段が受信するコンテンツ情報の提示方法は、前記比較結果が一致した場合に、前記現在位置情報に応じた更新頻度が高い情報である季節情報を提示し、前記比較結果が一致しない場合に、前記現在位置情報に応じた観光情報を提示するように設定されている、
ことを特徴とする情報配信システム。
【発明の詳細な説明】
【技術分野】
【０００１】
本発明は、車載装置及び情報配信システムに関し、特に車載装置が搭載される車両の現在位置情報に応じたコンテンツ情報の配信を受ける車載装置及びそのような車載装置を含む情報配信システムに関するものである。
【背景技術】
【０００２】
インターネットを利用し、予め定められた消費者のいる位置から所定の半径距離にある情報のみを、消費者に配信する地域限定Webサーバによる情報配信システム及び情報配信方法が知られている（例えば、特許文献１）。
【０００３】
また、ユーザが予め個人情報を好み保存サーバに保存し、保存された個人情報に基づいて情報提供サイトにおいて検索を行い、検索結果をユーザ端末に配信することによって、ユーザの個人情報に絞った情報を提供できるシステムが知られている（例えば、特許文献２）。
【先行技術文献】
【特許文献】
【０００４】
【特許文献１】特開２００３−２８１４４０号公報
【特許文献２】特開２００６−３０９４９６号公報
【発明の概要】
【発明が解決しようとする課題】
【０００５】
車載装置に対して情報の配信を行う場合、車載装置が搭載される車両が利用される状況（近所の買い物、通勤、旅行、観光等）に応じて、ユーザが必要とする情報は大きく異なる。例えば、現在位置が自宅周辺の場合は、普段よく移動している地域のため、その周辺の観光情報よりも、バーゲン情報等のような更新頻度の高い、旬で生活に密着した情報を欲し。逆に、現在位置が自宅周辺では無い場合は、普段あまり出かけない生活圏外のため、観光情報を欲する状況にある場合が多い。しかしながら、ユーザが現在の車両の利用状況をいちいち操作部を用いて入力するのでは操作が煩雑となるという問題があった。
【０００６】
そこで、本発明は、車載装置が搭載されている車両がユーザの生活圏内に存在するか否かに応じて、配信する情報の提供方法を設定することを可能とした、車載装置及び情報配信システムを提供することを目的とする。
【０００７】
また、本発明は、車両の使用状況の蓄積データから、現在、車載装置が搭載されている車両がユーザの生活圏内に存在するか否かに応じて、配信する情報の提供方法を設定することを可能とした、車載装置及び情報配信システムを提供することを目的とする。
【０００８】
さらに、本発明は、車載装置が搭載された車両の利用状況に応じて、最適な地域情報の配信を可能とした、車載装置及び情報配信システムを提供することを目的とする。
【課題を解決するための手段】
【０００９】
本発明に係る車載装置は、車載装置を搭載した車両の現在位置情報を取得する現在位置情報取得手段と、車載装置を使用するユーザの生活圏情報を設定する生活圏情報設定手段と、生活圏情報設定手段により設定された生活圏情報に基づいて特定の地域を示す特定地域情報を設定する地域情報設定手段と、現在位置情報取得手段により取得された現在位置情報及び地域情報設定手段によって設定された特定地域情報をセンタに送信する送信手段と、送信手段によって送信された現在位置情報と特定地域情報とが比較され、比較結果が一致したか否かに応じて提示方法が設定されたコンテンツ情報をセンタから受信する受信手段と、受信手段により受信されたコンテンツ情報を表示する表示手段を有することを特徴とする。
【００１０】
本発明に係る情報配信システムは、車載装置を搭載した車両の現在位置情報を取得する現在位置情報取得手段と、車載装置を使用するユーザの生活圏情報を設定する生活圏情報設定手段と、生活圏情報設定手段により設定された生活圏情報に基づいて特定の地域を示す特定地域情報を設定する地域情報設定手段と、現在位置情報取得手段により取得された現在位置情報及び前記地域情報設定手段によって設定された特定地域情報をセンタに送信する送信手段と、センタから配信される前記コンテンツ情報を受信する受信手段と、を有する車載装置と、車載装置から現在位置情報及び特定地域情報を受信するセンタ受信手段と、センタ受信手段により受信された現在位置情報及び特定地域情報を比較する比較手段と、比較手段により比較された比較結果に基づいて車載装置に配信するコンテンツ情報の提示方法を設定する提示方法変更手段と、提示方法変更手段によって設定された提示方法でコンテンツ情報を車載装置に配信する配信手段を有するセンタと、を有することを特徴とする。
【発明の効果】
【００１１】
本発明によれば、車載装置側で取得される現在位置情報及び特定地域情報に基づいて、センタ側で車載装置が搭載される車両の状況を推定し、推定された状況に合致した地域情報を選択して車載装置に配信するので、常に状況に適した情報の配信を受けることが可能となった。
【図面の簡単な説明】
【００１２】
【図１】情報配信を実施するための全体システム概略構成図である。
【図２】地域情報配信における処理フローの一例を示す図である。
【図３】地域情報配信における表示画面の移り替りを示す図である。
【図４】選択情報の一例を示す図である。
【図５】出典元情報の配信における処理フローの一例を示す図（１）である。
【図６】出典元情報の配信における処理フローの一例を示す図（２）である。
【図７】出典元情報の配信における処理フローの一例を示す図（３）である。
【図８】出典元情報の配信における表示画面の移り替りを示す図である。
【発明を実施するための形態】
【００１３】
以下、本発明に係る車載装置及び情報配信システムを図面を参照して詳細に説明する。なお、本発明の技術的範囲はこれらの実施の形態に限定されず、特許請求の範囲に記載された発明とその均等物に及ぶ。また、本発明の趣旨を逸脱しない範囲において種々の変更を付加した形態で実施することも可能である。
【００１４】
図１は、車載装置への地域情報配信を実施するための全体システム概略構成図である。
【００１５】
車載装置１００は車両（図示せず）に搭載された機器であって、インターネット接続プロバイダ２００を介してインターネット４００に接続することができ、Ｗｅｂ上のセンタ５００にアクセス可能に構成されている。また、センタ５００は、複数のコンテンツプロバイダ３００から入手した地域関連情報等を内部データベースに記録し、車載装置１００に対して配信できるように構成されている。
【００１６】
車載装置１００は、制御部１０１、操作ボタン、タッチパネル及び／又はリモコン等を含む操作部１０２、薄型液晶ディスプレイ等によって構成される表示部１０３、インターネット接続プロバイダ２００を介してインターネットに接続してセンタ５００との間でデータの送受信を行うための送受信部１０４、スピーカ等から構成される音声出力部１０５、マイク等から構成される音声入力部１０６、ＶＩＣＳ（Vehicle Information and Communication System）情報受信部１０７、ＧＰＳ情報受信部１０８、ジャイロセンサ１０９、車速パルス受信部１１０、車両のシートに配置されて乗員がシートに着座しているか否かを検出するシートセンサ１１１、車両に備えられたエンジン始動用のキーシリンダと電気的に一体に構成されているアクセサリスイッチ（ＡＣＣスイッチ）１１２、ナビゲーションの為等に利用される地図情報を記録するためのハードディスク、ＤＶＤ又はＣＤ等の記録媒体から構成される地図情報記憶部１２０、地域関連情報等を含むコンテンツ情報を記録するためのハードディスク等の記録媒体から構成されるコンテンツ情報記録部１３０、ＧＰＳ情報受信部１０８で受信した緯度・経度情報からなる現在位置情報を定期的に記録するＧＰＳ情報記録部１４０等から構成されている。
【００１７】
制御部１０１は、ＣＰＵ、ＲＡＭ、ＲＯＭ、Ｉ／Ｏ、バス等から構成され、予め記憶されたプログラムに従い、各種検出機能によって車載装置１００が搭載される車両の状況データ等を取得してセンタ５００へ送信し、センタ５００から情報の配信を受けて、受信した情報を表示部１０３に表示する。
【００１８】
また、制御部１０１は、予め記憶されたプログラムに従い、地図情報記憶部１２０に記憶された地図情報、ＶＩＣＳ情報受信部１０７が受信した渋滞情報、交通規制情報及び気象情報等を含む車両の走行に関連する走行関連情報、ＧＰＳ情報受信部１０８が受信した車両の現在位置情報及び現在日時情報、ジャイロセンサ１０９から取得した車両の進行方向情報、及び車速パルス受信部１１０が受信した車速パルス等を用い、操作部１０２、表示部１０３、音声出力部１０５及び音声入力部１０６を利用してナビゲーション動作を行う。さらに、操作部１０２を操作することによって、ユーザは、任意に、生活圏情報（自宅の位置情報等）を車載装置１００に設定することが可能である。
【００１９】
インターネット接続プロバイダ２００は、複数の基地局２０１と接続された移動通信網２０２を有しており、移動通信網２０２と接続されたゲートウエイ２０３を介してインターネットへの接続サービスを提供する。
【００２０】
コンテンツプロバイダ３００は、インターネット４００のＷｅｂ上に接続可能に配置されており、各々が地域関連情報を提供し、センタ５００によってその内容が検索可能に構成されている。
【００２１】
センタ（又はセンタサーバ）５００は、管理部５０１、インターネット４００と接続するためのルータ５０２、ユーザプロファイル情報を記録するためのユーザプロファイル情報記録部５０３、地域関連情報を含むコンテンツ情報を記録するためのコンテンツ情報記録部５０４、選択履歴情報を記録するためのコンテンツ選択履歴情報５０５等を有し、それぞれがＬＡＮ５０７により相互にテータの送受信を行えるように構成されている。
【００２２】
管理部５０１は、パーソナルコンピュータ等より構成され、ＣＰＵ，ＲＡＭ、ＲＯＭ、キーボード及びマウス等を含む操作部、液晶ディスプレイ等を含む表示部、ハードディスク等のデータ記録部等を含んで構成されている。管理部５０１は、車載装置１００から車載装置１００が搭載される車両の状況データ等を受信して、状況データに応じた地域情報を車載装置１００へ配信する。また、センタ５００は、所定のタイミングで、インターネット４００を介して複数のコンテンツプロバイダ３００のＷｅｂサイトにアクセスし、各種地域関連情報を取得して、コンテンツ情報記録部５０４に予め蓄積する。さらに、センタ５００は、各車載装置１００に対応したユーザプロファイルを作成してユーザプロファイル情報記録部５０３に記録するとともに、車載装置１００との通信のたびに取得した各種情報についても同記録部５０３に追加的に記録する。
【００２３】
以下、図２及び３を用いて、車載装置１００への地域関連情報の配信について説明する。
【００２４】
図２は、車載装置とセンタにおける処理フローの一例を示す図である。また、図３は、車載装置１００の表示部１０３に表示される配信情報に関する表示画面の移り替りを示す図である。
【００２５】
図２に示す処理フローは、車載装置１００側では制御部１０１が予め記録されたプログラムに従って車載装置１００に含まれる各要素と協働して実行し、センタ５００側では管理部５０１が予め記録されたプログラムに従ってセンタ５００に含まれる各要素と協働して実行するものとする。また、図２に示す処理フローが実行される際には、車載装置１００側では不図示の電源から車載装置１００の各要素に対して適切な電力が供給され動作可能な状態となっており、センタ５００側においても不図示の電源からセンタ５００の各要素に対して適切な電力が供給され動作可能な状態となっているものとする。
【００２６】
最初に、車載装置１００の制御部１０１は、ＡＣＣスイッチ１１２がＯＮされたか否かを検出し（Ｓ１０）、ＡＣＣスイッチ１１２がＯＮされた場合には、状況データとしての同乗者情報を取得する（Ｓ１１）。同乗者情報は、本例の場合、シートセンサ１１１からの検出出力を言い、シートセンサ１１１からの検出出力を受信した場合に、制御部１０１が同乗者が存在すると判断する。しかしながら、シートに荷物を置く場合もあるので、シートベルトが利用されたことを検出するシートベルトセンサ（不図示）を利用又は兼用して、同乗者の有無を判断するようにしても良い。
【００２７】
次に、制御部１０１は、車両の現在位置情報（緯度、経度情報）をＧＰＳ情報受信部１０８から取得し（Ｓ１２）、現在位置情報及び設定された生活圏情報に基づいて、特定地域情報としてのエリア情報を作成する。エリア情報とは、車両が生活圏内に存在するか否かを示すデータであって、例えば、予め登録された自宅の位置を中心として半径３キロ以内の地域を生活圏内エリア、その他を生活圏外エリアと定めることができる。この場合、生活圏内エリアとは、例えば、ユーザの自宅付近の地域のことを示し、生活圏外エリアとは、例えばユーザの自宅付近外の地域を示す。
【００２８】
なお、制御部１０１が生活圏内外のエリアを定める上記条件は一例であって、他の基準を定めることも可能である。例えば、車両を止めた地点が、スーパーやデパートの駐車場であり、所定時間以上経過している場合は、その場所を中心とした領域をユーザの生活圏内であると判断し、エリア情報を更新するように制御することも可能である。また、日常の車両の使用状況を監視し、特定の場所（スーパー、デパート、又は会社等）に、毎日又は毎週に渡って何度も行く場合、その特定の場所を中心とした領域をユーザの生活圏内であると判断し、エリア情報を更新するように制御することも可能である。なお、車両の使用状況の監視は、目的地設定での緯度・経度情報及び車両の現在位置の緯度・経度情報等を定期的に取得して、ＧＰＳ情報記録部１４０に記録し、緯度・経度情報を統計的に処理することによって、ユーザの生活圏を定め、それに応じてエリア情報を変更更新・設定することも可能である。
【００２９】
次に、制御部１０１は、送受信部１０４を制御してセンタ５００への通信プロトコルを開始し、Ｓ１２で作成したエリア情報、Ｓ１２で取得した現在位置情報及びＳ１１で取得した同乗者情報をセンタ５００へ送信する（Ｓ１３）。
【００３０】
センタ５００の管理部５０１は、エリア情報、現在位置情報及び同乗者情報を取得すると（Ｓ３０）、現在位置情報に基づいて地域情報をコンテンツ情報記録部５０４から検索して取得し、エリア情報と現在位置情報とを比較し、現在位置情報がエリア情報と一致すると（エリア情報内に現在位置情報が含まれると）、該当車両は生活圏内に存在すると判断する（Ｓ３１）。なお、ユーザが、自宅付近（自宅の所在地を中心とした所定距離範囲内）と、自宅から離れた会社付近（会社の所在地を中心とした所定距離範囲内）を頻繁に移動し、自宅から会社までの経路は固定している場合等には、自宅付近と会社付近の両者、又は自宅付近、会社付近及び自宅と会社との経路を、生活圏内と見なし、その領域をエリア情報として登録することも可能である。また、エリア情報と現在位置情報が完全に一致しなくても、所定のグレーゾーンを設け、その範囲内であれば、現在位置情報がエリア情報と一致したと判断するようにしても良い。
【００３１】
次に、管理部５０１は、車載装置１００が生活圏内にある場合には、取得した地域情報の中から、季節情報（例えば、そのエリア付近のバーゲン情報、夏祭り情報等）を選択し（Ｓ３２）、車載装置１００が生活圏外にある場合には、取得した地域情報の中から、観光情報（例えば、名所旧跡情報、歴史的建造物情報等）を選択する（Ｓ３３）。ここで、季節情報とは、地域情報が特定している地域に密着した情報で、短い周期やリアルタイムで更新され、ユーザの生活に役立つ情報である。一方、観光情報は、一般の生活には必要とされない情報であり、情報の更新も季節情報と比較して頻繁に行われず、イベントが発生した場合等に更新が行われるような情報である。
【００３２】
次に、管理部５０１は、選択された地域情報（季節情報又は観光情報）を、同乗者情報及びコンテンツ選択履歴記録部５０５に記録された選択履歴情報に基づいて、並び替え（Ｓ３４）、並び替えられた地域情報を車載装置１００へ配信する（Ｓ３５）。なお、現在位置情報に応じた地域情報（季節情報又は観光情報）が存在しない場合には、地域情報を車載装置１００側へは配信しない。また、車両が生活圏内に存在するか否かによって、季節情報及び観光情報の何れか一方のみを選択して（並び替えを行わずに）配信するように提示方法を設定し、配信するデータ量を最小限にするようにしても良い。
【００３３】
車載装置１００の制御部１０１では、地域情報を取得し（Ｓ１４）、コンテンツ情報記録部１３０に記録した後、地域情報を取得したことを表示部１０３に表示する（Ｓ１５）。
【００３４】
図３の表示画面例１０は、地図表示１１を利用してナビゲーション動作を実行中に、地域情報を受信した場合の表示例を示している。表示画面例１０では、地域情報を取得したことが領域１２に表示されている。操作部１０２を利用して、領域１３を選択することによって、詳細な地域情報が表示画面例２０に示すように表示される。表示画面例２０の例では、車両が生活圏外に存在したため、観光情報が送信された例を示している。表示された情報コンテンツの内の一つにカーソル２１を合わせ、「決定」キー２３を選択することによって、選択された情報コンテンツの詳細を、表示画面例３０に示す様に、表示部１０３に表示させることが可能となる。なお、「戻る」キー２２を選択することにより、表示画面例２０から表示画面例１０へ遷移する。
【００３５】
表示画面例３０において、操作部１０２を利用して、「地図」キー３３を選択することによって、表示画面例４０に示す様に、選択された情報コンテンツの地図情報（観光地付近の地図情報）４１を、表示部１０３に表示させることが可能となる。なお、「戻る」キー３２を選択することにより、表示画面例３０から表示画面例２０へ遷移する。
【００３６】
表示画面例４０において、操作部１０２を利用して、「目的地設定」キー４３を選択することによって、表示画面例５０に示す様に、選択した観光地をナビゲーションを行うための目的地に設定することが可能となる。なお、確認のため、表示画面例５０に示すように、選択された観光地が目的地として（５２）に設定されたことを示す地図表示５１を行うことが好ましい。なお、「戻る」キー４２を選択することにより、表示画面例４０から表示画面例３０へ遷移し、「現在位置」キー５３を選択することにより、従来のナビゲーション画面である表示画面例１０へ遷移する。
【００３７】
また、制御部１０１は、表示画面例２０においてユーザがカーソル２１を移動させることによって情報コンテンツを選択した選択情報を取得し（Ｓ１６）、取得した選択情報及びＳ１１で取得した同乗者情報をセンタ５００へ送信して（Ｓ１７）、一連の処理を終了する。制御部１０１は、所定のタイミングで、繰り返し、図２に示す車載装置１００側の処理フローを実行する。
【００３８】
センタ５００の管理部５０１は、選択情報及び同乗者情報を取得すると（Ｓ３６）、取得した選択情報を同乗者情報とリンクさせてコンテンツ選択履歴記録部５０５に記録して（Ｓ３７）、一例の処理を終了する。取得された選択情報及び同乗者情報は、送信元の車載装置１００に関する情報（車載装置ＩＤ等）及びＳ３５で送信された地域情報とリンクしてコンテンツ選択履歴記録部５０５に記録される。
【００３９】
Ｓ３７で記録された情報は、Ｓ３４で情報コンテンツの並び替えを行う場合に利用される。すなわち、同乗者がいる場合といない場合において、もっとも選択される頻度が高かった情報コンテンツが、並び順の上になるように選択される。
【００４０】
図４は、選択情報の一例を示す図である。
【００４１】
同乗者がいる場合と、いない場合では、生活圏内での行動であっても、必要とする情報が異なる場合がある。例えば、同乗者がいる場合、生活圏内であっても、何処かのイベントに参加しようとしている可能性が高い。逆に、生活圏外であっても、同乗者がいる場合と、いない場合とで、同様のことが言える場合がある。
【００４２】
図４（ａ）は、同乗者がいない場合に、今までに季節情報に含まれる情報コンテンツ毎に選択された回数の一例を示し、図４（ｂ）は、同乗者がいる場合に、いままでに季節情報に含まれる情報コンテンツ毎に選択された回数の一例を示している。車両が生活圏内に存在する場合、季節情報が車載装置１００に送信されるが、例えば、同乗者がいない旨の同乗者情報をＳ３０で受信した場合には、管理部５０１は、図４（ａ）に示すように、情報コンテンツを頻度順に並び変える様に提示方法を設定して、Ｓ３５において車載装置１００へ配信する。また、管理部５０１は、同乗者がいる旨の同乗者情報をＳ３０で受信した場合には、図４（ｂ）に示すように、情報コンテンツを頻度順に並び変えて、Ｓ３５において車載装置１００へ配信する。このように、同乗者の有無によって配信情報を並び替えるのは、同乗者の有無に応じて目的地や走行の目的等が決定される傾向があるからであり、同乗者情報を用いて配信情報の並べ替えを行うことによって、よりユーザの嗜好にあった情報コンテンツを並び順の上位にランク付けることが可能となる。即ち、過去の車両を使用した状況のデータから、ユーザがどういった場合に、どのような情報を欲するのかを推定し、ユーザに情報を提示することが可能となる。
【００４３】
ところで、上記の例では、常に同乗者情報を利用したが、必ずしも同乗者情報を用いなくても良い。
【００４４】
以下、図５〜図８を用いて、車載装置１００への地域に特化した雑誌等に基づく出典元情報の配信について説明する。
【００４５】
図５〜図７は、車載装置とセンタにおける処理フローの一例を示す図である。また、図８は、車載装置１００の表示部１０３に表示される配信情報に関する表示画面の移り替りを示す図である。
【００４６】
図５〜図７に示す処理フローは、車載装置１００側では制御部１０１が予め記録されたプログラムに従って車載装置１００に含まれる各要素と協働して実行し、センタ５００側では管理部５０１が予め記録されたプログラムに従ってセンタ５００に含まれる各要素と協働して実行するものとする。また、図５〜図７に示す処理フローが実行される際には、車載装置１００側では不図示の電源から車載装置１００の各要素に対して適切な電力が供給され動作可能な状態となっており、センタ５００側においても不図示の電源からセンタ５００の各要素に対して適切な電力が供給され動作可能な状態となっているものとする。
【００４７】
最初に、図５を用いて出典元リストの配信について説明する。車載装置１００の制御部１０１は、現在位置情報をＧＰＳ情報受信部１０８から取得する（Ｓ４０）。次に、制御部１０１は、送受信部１０４を制御してセンタ５００への通信プロトコルを開始し、Ｓ４０で取得した現在位置情報及び出典元リスト要求をセンタ５００へ送信する（Ｓ４１）。
【００４８】
センタ５００の管理部５０１は、現在位置情報および出典元リスト要求を受信すると（Ｓ５０）、現在位置情報に基づいた地域関連情報としての出典元リストをコンテンツ情報記録部５０４から取得し（Ｓ５１）、取得した出典元リストの情報コンテンツをコンテンツ選択履歴記録部５０５に記録された履歴情報に基づいて並べ替える様に提示方法を設定して（Ｓ５２）、処理済みの出典元リストを車載装置１００へ送信する（Ｓ５３）。
【００４９】
出典元リストは、例えば、北海道、東北、北陸、関東、東海、関西、山陽、山陰、四国、九州等といった範囲毎、または各都道府県毎、特に情報量が多い、東京及び大阪等では各市町村毎に、予め用意され、コンテンツ情報記録部５０４に記録されている。これらの出典元は、地域情報の更新頻度が高く、また、生活圏内外の両方の情報が充実しているという特徴がある。管理部５０１は、Ｓ５０で受信した車載装置１００が搭載される車両の現在位置情報に対応する特定の出典元リストを取得する。
【００５０】
制御部１０１は、出典元リストを受信すると（Ｓ４２）、コンテンツ情報記録部１３０に記録した上で、表示部１０３にその内容を表示する（Ｓ４３）。出典元リストの内容は、例えば、図８の画面表示例６０に示されるように、「○○カレンダー」、「△なび（関東）」、「□□Ｐａｐｐｅｒ（渋谷）」、「□□Ｐａｐｐｅｒ（新宿）」、「☆☆Ｗａｋｅｒ」といった情報コンテンツから構成される。
【００５１】
図８の表示画面例６０の例では、操作部１０２を利用して、表示された情報コンテンツの内の一つにカーソル６１を合わせ、「決定」キー６３を選択することによって、選択された出典元の特集リストを、表示画面例７０に示す様に、表示部１０３に表示させることが可能となる。なお、「戻る」キー６２を選択することにより、表示画面例６０から出典元リストを表示する前の標準画面やナビゲーション用の地図表示画面（図３の表示画面例１０参照）へ遷移する。
【００５２】
制御部１０１は、出典元リストの項目をユーザがカーソル６１を移動させることによって選択した選択情報を取得し（Ｓ４４）、選択情報をセンタ５００へ送信して（Ｓ４５）、出典元リストの表示・選択に関する一連の動作を終了する。
【００５３】
管理部５０１では、選択情報を取得すると（Ｓ５４）、コンテンツ選択履歴記録部５０５に記録し（Ｓ５５）、出典元リストの配信に関する一連の動作を終了する。コンテンツ選択履歴記録部５０５に記録された選択情報は、Ｓ５２における出典元リストの並び替えに利用される。すなわち、同じ車載装置１００における同じ地域の出典元リストに関して（提示方法が設定されて）選択された情報コンテンツの頻度に応じて、次回の出典元リストの項目が並び替えられて、車載装置１００へ配信されることとなる。
【００５４】
次に、図６を用いて特集リストの配信について説明する。車載装置１００の制御部１０１は、ユーザによって、操作部１０２を用いて選択された出典元リストの項目を取得する（Ｓ６０）。次に、制御部１０１は、送受信部１０４を制御してセンタ５００への通信プロトコルを開始し、Ｓ６０で取得した出典元リストの項目及び特集リスト要求をセンタ５００へ送信する（Ｓ６１）。なお、これらのステップ（Ｓ６０及びＳ６１）は、図５における選択情報の取得（Ｓ４４）及び選択情報の送信（Ｓ４５）と重複する部分があるので、同じ処理ステップとして実現するようにしても良い。
【００５５】
センタ５００の管理部５０１は、出典元項目及び特集リスト要求を受信すると（Ｓ７０）、出典項目に応じた特集リストをコンテンツ情報記録部５０４から取得し（Ｓ７１）、取得した特集リストの情報コンテンツをコンテンツ選択履歴記録部５０５に記録された履歴情報に基づいて並べ替え（Ｓ７２）、処理済みの特集リストを車載装置１００へ送信する（Ｓ７３）。
【００５６】
制御部１０１は、特集リストを受信すると（Ｓ６２）、コンテンツ情報記録部１３０に記録した上で、表示部１０３にその内容を表示する（Ｓ６３）。特集リストの内容は、例えば、図８の表示画面例７０に示されるように、「夏のご馳走“○○”」、「リゾート気分で△△」、「新規掲載店舗」といった情報コンテンツから構成される。
【００５７】
表示画面例７０の例では、操作部１０２を利用して、表示された情報コンテンツの内の一つにカーソル７１を合わせ、「決定」キー７３を選択することによって、選択された特集に対応する施設リストを、表示画面例８０に示す様に、表示部１０３に表示させることが可能となる。なお、「戻る」キー７２を選択することにより、表示画面例７０から表示画面例６０へ遷移する。
【００５８】
制御部１０１は、特集リストの項目をユーザがカーソル７１を移動することにより選択した選択情報を取得し（Ｓ６４）、選択情報をセンタ５００へ送信して（Ｓ６５）、特集リストの表示・選択に関する一連の動作を終了する。
【００５９】
管理部５０１では、選択情報を取得すると（Ｓ７４）、コンテンツ選択履歴記録部５０５に記録し（Ｓ７５）、特集リストの配信に関する一連の動作を終了する。コンテンツ選択履歴記録部５０５に記録された選択情報は、Ｓ７２における特集リストの並び替えに利用される。すなわち、同じ車載装置１００における同じ特集リストに関して選択された情報コンテンツの頻度に応じて、次回の特集リストの項目が並び替えられて、車載装置１００へ配信されることとなる。
【００６０】
次に、図７を用いて施設リストの配信について説明する。車載装置１００の制御部１０１は、ユーザによって、操作部１０２を用いて選択された特集リストの項目を取得する（Ｓ８０）。次に、制御部１０１は、送受信部１０４を制御してセンタ５００への通信プロトコルを開始し、Ｓ８０で取得した特集リストの項目及び施設リスト要求をセンタ５００へ送信する（Ｓ８１）。なお、これらのステップ（Ｓ８０及びＳ８１）は、図６における選択情報の取得（Ｓ６４）及び選択情報の送信（Ｓ６５）と重複する部分があるので、同じ処理ステップとして実現するようにしても良い。
【００６１】
センタ５００の管理部５０１は、特集リストの項目及び施設リスト要求を受信すると（Ｓ９０）、特集リストの項目に応じた施設リストをコンテンツ情報記録部５０４から取得し（Ｓ９１）、取得した施設リストの情報コンテンツをコンテンツ選択履歴記録部５０５に記録された履歴情報に基づいて並べ替え（Ｓ９２）、処理済みの施設リストを車載装置１００へ送信する（Ｓ９３）。
【００６２】
制御部１０１は、施設リストを受信すると（Ｓ８２）、コンテンツ情報記録部１３０に記録した上で、表示部１０３にその内容を表示する（Ｓ８３）。施設リストの内容は、例えば、図８の表示画面例８０に示されるように、「○○○本店」、「△△△店」、「□□□店」といった情報コンテンツから構成される。
【００６３】
表示画面例８０の例では、操作部１０２を利用して、表示された情報コンテンツの内の一つにカーソル８１を合わせ、「決定」キー８３を選択することによって、選択された施設の詳細情報の特集を、表示画面例９０に示す様に、表示部１０３に表示させることが可能となる。なお、「戻る」キー８２を選択することにより、表示画面例８０から表示画面例７０へ遷移する。
【００６４】
制御部１０１は、施設リストの項目をユーザがカーソル８１を移動させることによって選択した選択情報を取得し（Ｓ８４）、選択情報をセンタ５００へ送信して（Ｓ８５）、施設リストの表示・選択に関する一連の動作を終了する。
【００６５】
管理部５０１では、選択情報を取得すると（Ｓ９４）、コンテンツ選択履歴記録部５０５に記録し（Ｓ９５）、施設リストの配信に関する一連の動作を終了する。コンテンツ選択履歴記録部５０５に記録された選択情報は、Ｓ９２における特集リストの並び替えに利用される。すなわち、同じ車載装置１００における同じ施設リストに関して選択された情報コンテンツの頻度に応じて、次回の施設リストの項目が並び替えられて、車載装置１００へ配信されることとなる。
【００６６】
車載装置１００側において、表示部１０３に表示した施設の詳細情報（図８の表示画面例９０参照）において、「戻る」キー９２を選択することにより、表示画面例９０から表示画面例８０へ遷移する。また、「地図」キー９３を選択すれば、表示画面例９５へ遷移して、施設周辺の地図９６が表示され、「目的地設定」キー９７を選択することによって、選択された施設を目的地に設定してナビゲーション動作を行うように設定することができる。なお、表示画面例９５において、「戻る」キー９８を選択することによって、表示画面例９５から表示画面例９０に遷移する。
【産業上の利用可能性】
【００６７】
本発明は、車載装置における地域情報及び／又は出典元情報の配信のみ可能な情報配信装置として構成されることも可能であるが、ナビゲーション装置、地上波デジタルＴＶ、ＣＤ／ＤＶＤ／ブルーレイディスクプレーヤ等に組み込む形で実施されても良い。
【符号の説明】
【００６８】
１００    車載装置
１０１    制御部
１０３    表示部
１３０    コンテンツ情報記録部
５００    センタ
５０１    管理部
５０３    ユーザプロファイル情報記録部
５０４    コンテンツ情報記録部
５０５    コンテンツ選択履歴記録部
【図１】
0005483941.tif 000002
【図２】
0005483941.tif 000003
【図３】
0005483941.tif 000004
【図４】
0005483941.tif 000005
【図５】
0005483941.tif 000006
【図６】
0005483941.tif 000007
【図７】
0005483941.tif 000008
【図８】
0005483941.tif 000009